(57)【要約】【課題】誘導発熱ローラ装置においてローラ本体及び静止部材の間に転がり軸受を設けることによる種々の不具合を抑制するとともに、永久磁石による磁気反発力の偏りを低減する。【解決手段】回転自在に支持された中空のローラ本体２と、少なくとも誘導コイル３１２を有し、ローラ本体２の中空内に静止状態で配置される静止部材３と、ローラ本体２及び静止部材３に設けられ、静止部材３をローラ本体２に対して非接触で支持する回転側永久磁石部４及び静止側永久磁石部５と、静止部材３及び静止側永久磁石部５の間に介在し、静止側永久磁石部４を保持する磁石保持体５Ｘとを備え、磁石保持体５Ｘは、回転側永久磁石部４に対して静止側永久磁石部５が揺動可能となるように取り付けられている。【選択図】図１
2018045800.tif 000002
【特許請求の範囲】
【請求項１】
回転自在に支持された中空のローラ本体と、
少なくとも誘導コイルを有し、前記ローラ本体の中空内に静止状態で配置される静止部材と、
前記ローラ本体及び前記静止部材に設けられ、前記静止部材を前記ローラ本体に対して非接触で支持する回転側永久磁石及び静止側永久磁石と、
前記静止部材及び前記静止側永久磁石の間に介在し、前記静止側永久磁石を保持する磁石保持体とを備え、
前記磁石保持体は、前記回転側永久磁石に対して前記静止側永久磁石が揺動可能となるように取り付けられている誘導発熱ローラ装置。
【請求項２】
前記磁石保持体は、前記静止部材の装着部に装着される円筒形状をなすものであり、
前記静止側永久磁石は、前記磁石保持体の周方向全体に亘って設けられている、請求項１記載の誘導発熱ローラ装置。
【請求項３】
前記磁石保持体及び前記装着部の対向面の何れか一方が、他方の対向面に向かって突出する突出部を有し、
前記突出部に前記他方の対向面が接触して揺動可能とされている、請求項２記載の誘導発熱ローラ装置。
【請求項４】
前記磁石保持体の外側周面に前記ローラ本体の軸方向に沿って複数の静止側永久磁石が設けられており、
前記突出部は、前記軸方向において前記静止側永久磁石の中央部に位置している、請求項３記載の誘導発熱ローラ装置。
【請求項５】
前記ローラ本体の軸方向において前記回転側永久磁石及び前記静止側永久磁石それぞれの両側に設けられて、前記軸方向に直交する方向において対向配置された回転側ヨーク及び静止側ヨークをさらに備える、請求項１乃至４の何れか一項に記載の誘導発熱ローラ装置。
【請求項６】
前記回転側ヨーク及び前記静止側ヨークは、前記磁石保持体に設けられている、請求項５記載の誘導発熱ローラ装置。
【発明の詳細な説明】
【技術分野】
【０００１】
本発明は、誘導発熱ローラ装置に関するものである。
【背景技術】
【０００２】
従来、例えばプラスチックフィルム、紙、布、不織布、合成繊維、金属箔等のシート材又はウェブ材、線（糸）材等の連続材の連続熱処理工程等には、回転するローラ本体の内部に誘導発熱機構を配置し、これによりローラ本体の周壁部を誘導電流によってジュール発熱させる誘導発熱ローラ装置が用いられている。
【０００３】
この誘導発熱ローラ装置では、ローラ本体の内部に誘導発熱機構を支持する支持体が設けられており、当該支持体は転がり軸受を介してローラ本体に支持されている。具体的には、支持体の外側周面とローラ本体のジャーナル部の内側周面との間に転がり軸受が設けられている。
【先行技術文献】
【特許文献】
【０００４】
【特許文献１】特開２０００−２７７２４５号公報
【発明の概要】
【発明が解決しようとする課題】
【０００５】
しかしながら、誘導発熱機構を支持する支持体のたわみにより転がり軸受にストレスがかかり転がり軸受の寿命が短くなってしまうという問題がある。また、ローラ本体の回転数や使用温度などの使用条件により、転がり軸受の寿命が異なるため、誘導発熱ローラ装置ごとに異なるタイミングで交換が必要となってしまう。さらに、転がり軸受に対して給脂等のメンテナンス作業を行う必要がある。その他、支持体の外側周面に転がり軸受が配置される構造のため、ジャーナル部の径方向寸法が大きくなってしまい、ローラ本体を取り付けるための装置設計に支障が出る場合がある。また、ジャーナル部の径方向寸法が大きくなってしまうと、その径方向寸法によりローラ本体の小径化が阻害されてしまう。
【０００６】
一方で、本発明者は、転がり軸受を用いることなく、永久磁石を用いてローラ本体に対して支持体を非接触に支持する構成を考えている。このとき、永久磁石の個体差や取り付け精度等により、磁気反発力に偏りが生じてしまい、ローラ本体に対する誘導発熱機構及びこれを支持する支持体を安定して支持することが難しくなってしまう。
【０００７】
そこで本発明は、上記問題点を解決するためになされたものであり、誘導発熱ローラ装置においてローラ本体及び静止部材の間に転がり軸受を設けることによる種々の不具合を抑制するとともに、永久磁石による磁気反発力の偏りを低減することをその主たる課題としたものである。
【課題を解決するための手段】
【０００８】
すなわち、本発明に係る誘導発熱ローラ装置は、回転自在に支持された中空のローラ本体と、少なくとも誘導コイルを有し、前記ローラ本体の中空内に静止状態で配置される静止部材と、前記ローラ本体及び前記静止部材に設けられ、前記静止部材を前記ローラ本体に対して非接触で支持する回転側永久磁石及び静止側永久磁石と、前記静止部材及び前記静止側永久磁石の間に介在し、前記静止側永久磁石を保持する磁石保持体とを備え、前記磁石保持体は、前記回転側永久磁石に対して前記静止側永久磁石が揺動可能となるように取り付けられていることを特徴とする。
【０００９】
この誘導発熱ローラ装置によれば、転がり軸受を不要とすることができるので、転がり軸受の劣化による軸受の交換や給脂等のメンテナンス作業を不要にすることができる。また、静止部材が回転側永久磁石及び静止側永久磁石によってローラ本体に非接触で支持されているので、静止部材及びローラ本体の間に転がり軸受の設置スペースを要さず、転がり軸受を設置することによる径方向寸法の大型化を防ぎ、小径化が可能となる。
特に本発明では、静止側永久磁石を保持する磁石保持体が、回転側永久磁石に対して静止側永久磁石が揺動可能となるように取り付けられているので、回転側永久磁石及び静止側永久磁石の間に生じる磁気反発力の偏りに応じて磁石保持体が傾いて磁気反発力の偏りを低減することができる。これにより、ローラ本体に対して静止部材を安定的に支持させることができる。
【００１０】
具体的には、磁石保持体は、主としてローラ本体の軸方向に沿った磁気反発力の偏りを低減するように、揺動可能に取り付けられる。つまり、磁石保持体は、少なくともローラ本体の軸方向を含む平面に対して傾斜するように揺動可能に取り付けられる。
【００１１】
前記磁石保持体は、前記静止部材の装着部に装着される円筒形状をなすものであり、前記静止側永久磁石は、前記磁石保持体の周方向全体に亘って設けられていることが望ましい。ここで、周方向全体に亘って設けられることには、周方向全体に連続的に設けられる構成、又は、周方向全体に間欠的に設けられる構成が含まれる。
この構成であれば、磁石保持部材を装着部に装着することによって静止部材の周方向全体に静止側永久磁石を配置することができる。また、周方向全体に亘って静止側永久磁石が磁気反発力の偏りを低減するように揺動できる構成にすることができる。
【００１２】
磁石保持体をローラ本体の軸方向を含む平面に対して揺動可能にするための具体的構成としては、前記磁石保持体及び前記装着部の対向面の何れか一方が、他方の対向面に向かって突出する突出部を有し、前記突出部に前記他方の対向面が接触して揺動可能とされていることが望ましい。
この構成であれば、突出部を形成するだけで、当該突出部を揺動中心として磁石保持体が揺動することになり、その構成を簡単にすることができる。
【００１３】
ローラ本体の軸方向に沿った磁気反発力の偏りを好適に低減するためには、前記磁石保持体の外側周面に前記軸方向に沿って複数の静止側永久磁石が設けられており、前記突出部は、前記軸方向において前記静止側永久磁石の中央部に位置していることが望ましい。
【００１４】
前記ローラ本体の軸方向において前記回転側永久磁石及び前記静止側永久磁石それぞれの両側に設けられて、前記軸方向に直交する方向において対向配置された回転側ヨーク及び静止側ヨークをさらに備えることが望ましい。
この構成であれば、回転側永久磁石及び静止側永久磁石の磁力を強化して、それらの反発力を高めることができる。これにより、永久磁石のサイズのみに頼ることなくローラ本体に対する静止部材の支持力を高めて、静止部材の非接触支持を安定させることができる。
【００１５】
前記回転側ヨーク及び前記静止側ヨークが、前記磁石保持体に設けられているものであれば、その構成を簡単にすることができ、組み立てを容易にすることができる。
【発明の効果】
【００１６】
このように構成した本発明によれば、誘導発熱ローラ装置においてローラ本体及び静止部材の間に転がり軸受を設けることによる種々の不具合を抑制するとともに、永久磁石による磁気反発力の偏りを低減することができる。
【図面の簡単な説明】
【００１７】
【図１】本実施形態の誘導発熱ローラ装置の構成を模式的に示す断面図である。
【図２】同実施形態の回転側永久磁石部及び静止側永久磁石部の構成を示す部分拡大断面図である。
【図３】同実施形態の磁石ユニットの構成を示す軸方向に直交した方向から見た図である。
【図４】同実施形態の磁石保持体の構成を示す断面図である。
【図５】同実施形態の磁石保持体の揺動の様子を模式的に示す断面図である。
【図６】同実施形態の第２回転側永久磁石部及び第２静止側永久磁石部の構成を模式的に示す断面図である。
【発明を実施するための形態】
【００１８】
本実施形態に係る誘導発熱ローラ装置１００は、例えばプラスチックフィルム、紙、布、不織布、合成繊維、金属箔等のシート材又はウェブ材、線（糸）材等の連続材の連続熱処理工程等において用いられるものである。
【００１９】
＜装置構成＞
具体的にこの誘導発熱ローラ装置１００は、図１に示すように、回転自在に支持された中空円筒状のローラ本体２と、このローラ本体２の中空内に静止状態で配置される静止部材３と、ローラ本体２に対して静止部材３をラジアル方向に非接触に支持する回転側永久磁石部４及び静止側永久磁石部５とを備えている。
【００２０】
ローラ本体２は、円筒状をなすシェル部２１と、当該シェル部２１の両端部に設けられた一対のジャーナル部２２とを有している。このジャーナル部２２は、シェル部２１の端部開口を覆うフランジ部２２１と、当該フランジ部２２１に一体形成された中空の駆動軸２２２とを有している。また、駆動軸２２２は、転がり軸受等の軸受６１を介して機台６２に回転自在に支持されている。そして、ローラ本体２は、例えばモータ等により外部から与えられる駆動力によって回転されるように構成されている。
【００２１】
静止部材３は、ローラ本体２のシェル部２１を誘導発熱させるための誘導発熱機構３１と、当該誘導発熱機構３１を支持するための軸状をなす支持体３２とを有している。
【００２２】
誘導発熱機構３１は、円筒形状をなす円筒状鉄心３１１と、当該円筒状鉄心３１１の外側周面に巻装された誘導コイル３１２とから構成されている。そして、円筒状鉄心３１１の両端部それぞれに、支持体３２が取り付けられている。支持体３２は、それぞれ駆動軸２２２の内部に挿通されており、回転側永久磁石部４及び静止側永久磁石部５により、駆動軸２２２に対して回転自在に支持されている。なお、本実施形態の支持体３２は、回転しないように機台６２等の静止側部材に固定金具６３により固定されている。
【００２３】
これにより、誘導発熱機構３１は、ローラ本体２の内部において宙づり状態で支持され、ローラ本体２の回転に関わらず静止状態に保持される。誘導コイル３１２には、リード線（不図示）が接続されており、このリード線には、交流電圧を印加するための交流電源（不図示）が電力調整装置（不図示）を介して接続されている。
【００２４】
このような誘導発熱機構３１により、誘導コイル３１２に交流電圧が印加されると交番磁束が発生し、その交番磁束はローラ本体２のシェル部２１を通過する。この通過によりシェル部２１に誘導電流が発生し、その誘導電流でシェル部２１はジュール発熱する。
【００２５】
回転側永久磁石部４及び静止側永久磁石部５は、ローラ本体２及び静止部材３に設けられ、ローラ本体２の回転軸Ｃ周りに沿って配置されるとともに、回転軸Ｃに直交する方向において互いに反発し合うように、つまり、互いに対向する面の各極性が同一となるように対向配置されている。
【００２６】
本実施形態の回転側永久磁石部４及び静止側永久磁石部５は、ネオジウム磁石を用いているが、その他、アルニコ磁石やフェライト磁石を用いても良い。
【００２７】
具体的に回転側永久磁石部４は、図２及び図３に示すように、回転軸Ｃの軸方向に分割された複数の回転側永久磁石（磁石ユニット）４Ｕを有する。なお、この複数の磁石ユニット４Ｕは、ローラ本体２の駆動軸２２２の内側周面に形成された装着部に装着されて、回転側押圧部材１０を駆動軸２２２に固定することによって固定される。
【００２８】
各磁石ユニット４Ｕは、回転軸Ｃに直交する平面において放射状に等間隔に設けられた複数（図３では６つ）の永久磁石要素４ａ〜４ｆによりユニット化したものである。
【００２９】
複数の永久磁石要素４ａ〜４ｆは、図３に示すように、互いに同一形状をなすものであり、例えば円環を周方向に分割した扇形状をなすものである。そして、各永久磁石要素４ａ〜４ｆは、軸方向において等断面形状を有するものであり、その先端面（内側面）４１は、凹んだ円弧状をなしている。このように構成された複数の永久磁石要素４ａ〜４ｆは、軸方向から見てそれらの先端面４１が同一円上に位置するように配置されている。なお、複数の永久磁石要素４ａ〜４ｆの先端面４１の極性はＮ極である。また、各磁石ユニット４Ｕは、６つ以外の複数の永久磁石要素からなるものであっても良いし、等分割されたものに限られない。
【００３０】
また、静止側永久磁石部５も、図２及び図３に示すように、回転側永久磁石部４と同様に、回転軸Ｃの軸方向に分割された複数の静止側永久磁石（磁石ユニット）５Ｕを有する。
【００３１】
各磁石ユニット５Ｕは、回転側永久磁石部４の回転側永久磁石４Ｕに対応して設けられており、回転軸Ｃに直交する平面において放射状に設けられた複数（図３では６つ）の永久磁石要素５ａ〜５ｆによりユニット化したものである。
【００３２】
複数の永久磁石要素５ａ〜５ｆは、図３に示すように、互いに同一形状をなすものであり、例えば円環を周方向に分割した扇形状をなすものである。そして、各永久磁石要素５ａ〜５ｆは、軸方向において等断面形状を有するものであり、その先端面（外側面）５１は、回転側永久磁石部４の磁石ユニット４Ｕを構成する永久磁石要素４ａ〜４ｆの先端面４１に対応した、突出した円弧状をなしている。このように構成された複数の永久磁石要素５ａ〜５ｆは、軸方向から見てそれらの先端面５１が同一円上に位置するように配置されている。なお、複数の永久磁石要素５ａ〜５ｆの先端面５１の極性は、回転側永久磁石部４と同様に、Ｎ極である。また、各磁石ユニット５Ｕは、６つ以外の複数の永久磁石要素からなるものであっても良いし、等分割されたものに限られない。
【００３３】
しかして、本実施形態の誘導発熱ローラ装置１００においては、特に図２に示すように、静止部材３及び静止側永久磁石部５の間に介在し、静止側永久磁石部５を保持する磁石保持体５Ｘを備えている。
【００３４】
この磁石保持体５Ｘは、図２及び図４に示すように、支持体３２の軸方向端部に形成された装着部３２１に装着される円筒形状をなすものである。磁石保持体５Ｘは、静止側押圧部材１２を支持体３２に固定することによって揺動可能に取り付けられる。
【００３５】
この磁石保持体５Ｘの外側周面に、静止側永久磁石部５が周方向全体に亘って設けられる。具体的に磁石保持体５Ｘは、回転体形状をなすものであり、その外側周面には、軸方向に複数の静止側永久磁石（磁石ユニット５Ｕ）を取り付けるための取り付け凹部５Ｘ１が軸方向に沿って等間隔に形成されている。なお、この取り付け凹部５Ｘ１の両側に位置する凸部５Ｘ２が後述する静止側ヨーク５Ｙとなる。
【００３６】
そして、磁石保持体５Ｘは、回転側永久磁石部４に対して静止側永久磁石部５が揺動可能となるように、支持体３２の装着部３２１に取り付けられている。具体的に磁石保持体５Ｘは、ローラ本体２の回転軸Ｃを含む平面に対して傾斜するように揺動可能に取り付けられる。これにより、回転側永久磁石部４の磁石ユニット４Ｕを構成する永久磁石要素４ａ〜４ｆの先端面４１に対して、静止側永久磁石部５の磁石ユニット５Ｕを構成する永久磁石要素５ａ〜５ｆの先端面５１が傾斜可能となる。
【００３７】
具体的に磁石保持体５Ｘの内側周面には、装着部３２１の外側周面に向かって突出する突出部５Ｘ３が形成されている。この突出部５Ｘ３は、ローラ本体２の軸方向に沿った断面が円弧状をなすものであり、磁石保持体５Ｘの内側周面の周方向全体に亘って連続的に形成されている。
【００３８】
突出部５Ｘ３は、磁石保持体５Ｘの軸方向中央部に形成されている。磁石保持体５Ｘの外側周面には、複数の静止側永久磁石（磁石ユニット５Ｕ）が軸方向中央に対して上下対称に設けられており、突出部５Ｘ３は、軸方向において複数の磁石ユニット５Ｕの中央部に位置することになる。突出部５Ｘ３の頂点部分の内径は、装着部３２１の外径よりも若干大きく、がたつきをもって取り付けられる。
【００３９】
この構成において、図５に示すように、磁石保持体５Ｘは、ローラ本体２の回転軸Ｃの軸方向における磁気反発力の偏り及び周方向における磁気反発力の偏りに応じて、ローラ本体２の回転軸Ｃに対して磁石保持体５Ｘの中心軸Ｃ’が傾くように揺動する。
【００４０】
さらに本実施形態の誘導発熱ローラ装置において、図２に示すように、回転側永久磁石部４は、ローラ本体２の軸方向において回転側永久磁石（磁石ユニット４Ｕ）の両側に設けられた回転側ヨーク４Ｙを有している。また、静止側永久磁石部５は、前記軸方向において静止側永久磁石（磁石ユニット５Ｕ）の両側に設けられた静止側ヨーク５Ｙを有している。そして、回転側ヨーク４Ｙ及び静止側ヨーク５Ｙは、回転軸Ｃに直交する方向において対向配置されている。
【００４１】
回転側ヨーク４Ｙは、円環形状をなすものであり、複数の回転側永久磁石（磁石ユニット４Ｕ）それぞれの両側に設けられている。本実施形態では、４つの回転側永久磁石（磁石ユニット４Ｕ）それぞれの両側に５つの回転側ヨーク４Ｙに設けられている。本実施形態では、回転側ヨーク４Ｙの先端面（内側面）の極性は、Ｓ極となる。
【００４２】
静止側ヨーク５Ｙは、磁石保持体５Ｘに一体に形成された円環形状をなすものであり、複数の静止側永久磁石（磁石ユニット５Ｕ）それぞれの両側に設けられている。本実施形態では、静止側ヨーク５Ｙは、磁石保持体５Ｘの凸部５Ｘ２により構成されており、４つの静止側永久磁石（磁石ユニット５Ｕ）それぞれの両側に５つの静止側ヨーク５Ｙに設けられている。本実施形態では、静止側ヨーク５Ｙの先端面（外側面）の極性は、Ｓ極となる。これにより、回転側ヨーク４Ｙの先端面とそれに対向する静止側ヨーク５Ｙの先端面とは同一極性となる。
【００４３】
＜本実施形態の効果＞
このように構成した誘導発熱ローラ装置１００によれば、静止部材３を支持する転がり軸受を不要とすることができるので、転がり軸受の劣化による軸受の交換や給脂等のメンテナンス作業を不要にすることができる。
【００４４】
また、静止部材３が回転側永久磁石部４及び静止側永久磁石部５によってローラ本体２に非接触で支持されているので、静止部材３及びローラ本体２の間に転がり軸受の設置スペースを要さず、転がり軸受を設置することによる径方向寸法の大型化を防ぎ、ローラ本体２、特にジャーナル部２２の小径化が可能となる。
【００４５】
特に本実施形態では、静止側永久磁石部５を保持する磁石保持体５Ｘが、回転側永久磁石部４に対して静止側永久磁石部５が揺動可能となるように取り付けられているので、回転側永久磁石部４及び静止側永久磁石部５の間に生じる磁気反発力の偏りを低減することができる。これにより、ローラ本体２に対して静止部材３を安定的に支持させることができる。
【００４６】
さらに、円筒形状をなす磁石保持体５Ｘを支持体３２の装着部３２１に装着することで、支持体３２の周方向全体に静止側永久磁石部５を配置することができるので、静止側永久磁石部５の支持体３２への取り付けを容易にすることができる。また、磁石保持体５Ｘに突出部５Ｘ３を設けているので、支持体３２の装着部３２１を等断面形状にすることができ、その加工を容易にすることができる。
【００４７】
その上、回転側永久磁石（磁石ユニット４Ｕ）及び静止側永久磁石（磁石ユニット５Ｕ）それぞれの両側に回転側ヨーク４Ｙ及び静止側ヨーク５Ｙを設けているので、回転側永久磁石及び静止側永久磁石の磁力を強化して、それらの反発力を高めることができる。これにより、永久磁石のサイズのみに頼ることなくローラ本体２に対する静止部材３の支持力を高めて、静止部材３の非接触支持を安定させることができる。
【００４８】
＜その他の変形実施形態＞
なお、本発明は前記実施形態に限られるものではない。
【００４９】
例えば、前記実施形態では、磁石保持体５Ｘの内側周面に突出部５Ｘ３を設けることにより揺動可能に構成しているが、装着部３２１の外側周面に突出部を設けることにより揺動可能に構成しても良い。
【００５０】
また、突出部は、磁石保持体５Ｘ又は装着部３２１に一体形成されたものでは無く、別体に形成して磁石保持体５Ｘ又は装着部３２１に固定したものであっても良い。
【００５１】
さらに、突出部は、周方向全体に形成されたものの他、周方向に間欠的に形成されたものであっても良い。
【００５２】
その上、突出部の先端部の断面形状は円弧状に限られず、揺動可能に接触するものであれば、曲面形状、屈曲形状であっても良い。
【００５３】
加えて、前記実施形態では、ローラ本体２に対する静止部材３の軸方向における位置決めは、固定金具６３により行われているが、図６に示すように、静止部材３をローラ本体２に対して軸方向（スラスト方向）に非接触で位置決めするための第２回転側永久磁石部７及び第２静止側永久磁石部８を用いたものであっても良い。
第２回転側永久磁石部７及び第２静止側永久磁石部８は、ローラ本体２及び静止部材３に設けられ、ローラ本体２の軸方向において互いに反発し合うように対向配置されている。具体的には、第２静止側永久磁石部８は、第２回転側永久磁石部７を軸方向両側から挟み込むように配置されている。第２回転側永久磁石部７は、ローラ本体２のジャーナル部２２に取り付けられる磁石ホルダ７Ｈに支持されており、第２静止側永久磁石部８は、支持体３２の軸方向端部に取り付けられる磁石ハウジング８Ｈにより支持されている。
これにより、第２回転側永久磁石部７及び第２静止側永久磁石部８を用いて、ローラ本体２に対する静止部材３の軸方向の位置決めを非接触で行うことができる。したがって、静止部材３を回転側永久磁石部４及び静止側永久磁石部５によりラジアル方向に非接触支持したことにより生じる軸方向の位置ずれを簡単かつコンパクトな構成により解消することができる。
【００５４】
その他、本発明は前記各実施形態に限られず、その趣旨を逸脱しない範囲で種々の変形が可能であるのは言うまでもない。
【符号の説明】
【００５５】
１００・・・誘導発熱ローラ装置
２・・・ローラ本体
Ｃ・・・回転軸
３・・・静止部材
３１２・・・誘導コイル
４・・・回転側永久磁石部
４Ｕ・・・磁石ユニット
４ａ〜４ｄ・・・永久磁石要素
５・・・静止側永久磁石部
５Ｕ・・・磁石ユニット
５ａ〜５ｄ・・・永久磁石要素
【図１】
2018045800.tif 000003
【図２】
2018045800.tif 000004
【図３】
2018045800.tif 000005
【図４】
2018045800.tif 000006
【図５】
2018045800.tif 000007
【図６】
2018045800.tif 000008